(57)【特許請求の範囲】
【請求項１】
撮像した情報を記録するカメラであって、
撮像した情報を蓄えるバッファ手段と、
前記バッファ手段に蓄えられた情報を記録媒体に記録する記録手段と、
カメラ内へ電源を供給する電源供給手段と、
前記電源供給手段から前記記録手段への電源供給の開始の指示を行う電源スイッチと、
前記記録手段による記録媒体への情報の記録を開始する前に、前記記録手段が情報を記録媒体に記録することを可能とするための関連情報を前記記録媒体から取得する記録媒体認識動作を実行する記録媒体認識手段と、
前記記録媒体認識手段により取得された前記関連情報を記憶し、電源が断たれた状態でも前記関連情報を保持する記憶手段と、
カメラに対する記録媒体の挿抜を監視する挿抜監視手段と、
前回前記記録媒体認識手段により取得された前記関連情報が記憶手段に記憶され且つ前記電源供給手段による前記記録手段への電源供給が停止されて以降、前記電源スイッチにより前記電源供給手段から前記記録手段への電源供給の開始が指示された際、前記挿抜監視手段により該記録媒体の抜き取りが行われたか否かを検出し、前記記録手段への電源供給が停止されて以降、電源供給の開始指示がされるまでに該記録媒体の抜き取りが行われなかったことが検出された場合、前記記憶手段に前回記憶された前記関連情報を読み出し、記録媒体への記録が可能であると前記関連情報から検知されれば、前記記録手段が記録媒体に記録することが可能となる前に、前記バッファ手段が情報を蓄えることを許可し、且つ、前記記録媒体認識手段により前記記録媒体から前記関連情報を取得する前記記録媒体認識動作のうち媒体種別の判別処理と最終記録位置探索処理を省略し、前記記録手段が記録媒体に記録することが可能となった後に、前記バッファ手段が蓄えた情報を記録媒体に記録し、前記記録手段への電源供給が停止されて以降、電源供給の開始指示がされるまでに記録媒体の抜き取りおよび挿入が行われたことが検出された場合、前記記録媒体認識手段により、当該挿入された記録媒体から関連情報を取得する前記記録媒体認識動作のうち前記媒体種別の判別処理と前記最終記録位置探索処理を省略せずに行ない、前記記録手段が当該記録媒体に記録することを可能とした後、前記バッファ手段が情報を蓄えることを許可し、且つ取得した前記関連情報を前記記憶手段に記憶させるように制御する制御手段と、
を備えることを特徴とするカメラ。
【請求項２】
撮像した情報を記録するカメラであって、
撮像した情報を蓄えるバッファ手段と、
前記バッファ手段に蓄えられた情報を記録媒体に記録する記録手段と、
カメラ内へ電源を供給する電源供給手段と、
前記電源供給手段から前記記録手段への電源供給の開始の指示を行う電源スイッチと、
前記記録手段による記録媒体への情報の記録を開始する前に、前記記録手段が情報を記録媒体に記録することを可能とするための関連情報を前記記録媒体から取得する記録媒体認識動作を実行する記録媒体認識手段と、
前記記録媒体認識手段により取得された前記関連情報を記憶し、電源が断たれた状態でも前記関連情報を保持する記憶手段と、
前記記録媒体を格納する筐体の蓋の開閉を検出する蓋開閉検出手段と、
前回前記記録媒体認識手段により取得された前記関連情報が記憶手段に記憶され且つ前記電源供給手段による前記記録手段への電源供給が停止されて以降、前記電源スイッチにより前記電源供給手段から前記記録手段への電源供給の開始が指示された際、前記挿抜監視手段により前記蓋の開閉が行われたか否かを検出し、前記記録手段への電源供給が停止されて以降、電源供給の開始指示がされるまでに前記蓋の開閉が行われなかったことが検出された場合、前記記憶手段に前回記憶された前記関連情報を読み出し、記録媒体への記録が可能であると前記関連情報から検知されれば、前記記録手段が記録媒体に記録することが可能となる前に、前記バッファ手段が情報を蓄えることを許可し、且つ、前記記録媒体認識手段により前記記録媒体から前記関連情報を取得する前記記録媒体認識動作のうち媒体種別の判別処理と最終記録位置探索処理を省略し、前記記録手段が記録媒体に記録することが可能となった後に、前記バッファ手段が蓄えた情報を記録媒体に記録し、前記記録手段への電源供給が停止されて以降、電源供給の開始指示がされるまでに記録媒体の抜き取りおよび挿入が行われたことが検出された場合、前記記録媒体認識手段により、当該挿入された記録媒体から関連情報を取得する前記記録媒体認識動作のうち媒体種別の判別処理と最終記録位置探索処理を省略せずに行ない、前記記録手段が当該記録媒体に記録することを可能とした後、前記バッファ手段が情報を蓄えることを許可し、且つ取得した前記関連情報を前記記憶手段に記憶させるように制御する制御手段と、
を備えることを特徴とするカメラ。
【請求項３】
請求項１または２のカメラであって、
前記関連情報は、前記記録手段の記録パワーを含むカメラ。
【請求項４】
請求項１ないし３のいずれかのカメラであって、
前記関連情報は、記録媒体の記録可能位置を含むカメラ。
【請求項５】
請求項１ないし４のいずれかのカメラであって、
画像を撮像する撮像手段と、
マイクと、をさらに含み、
前記記録手段で記録する情報は、前記撮像手段で撮像した画像と前記マイクで取得した音声とを含むカメラ。
【発明の詳細な説明】
【技術分野】
【０００１】
本発明は記録媒体への情報記録装置に係わり、特に、装置電源投入後に、装置が記録開
始可能な状態に至るまでに関するものである。
【背景技術】
【０００２】
光ディスクドライブはディスク回転停止状態から定常回転に至までの間の起動動作に比
較的時間を要する。そのため、撮像信号を記録するような情報記録装置においては、電源
投入後しばらくの間、撮像信号が記録できず、撮影チャンスを逃してしまうと言う問題が
あった。
【０００３】
そこで、特開平１０−９３９１８記載の装置では、次のような方法で、記録不可能状態
の回避を図っていた。
【０００４】
すなわち、使用者が装置の電源を投入した後、ディスクドライブ部が記録可能な状態に
至までの間の撮像信号の圧縮符号化信号(以下単に撮像信号と記載する)をメモリ手段に一
時的に蓄え、ディスクドライブ部が記録可能な状態に至った段階で、メモリ手段に後続の
撮像信号を入力しつつ、ディスクドライブの記録手段に記録を開始する。
【０００５】
ここで、撮像部からメモリ手段に入力される単位時間当たりの情報量が、上記記録手段
で記録する単位時間当たりの情報量よりも小さければ、メモリの蓄積量は徐々に減少する
。そこで、メモリ手段の蓄積残量が０になった段階で、撮像信号を直接ディスクドライブ
の記録手段へ入力し、以降、使用者が記録停止指示を行うまでこの状態を継続する。
【０００６】
もし、メモリ手段に蓄積残量がある状態で、使用者が記録停止の指示を行った場合には
、メモリ手段に蓄積されている残情報を記録して記録を完了する。
【０００７】
また、別の方法として、ディスクドライブ部が記録可能な状態に至るまでの間にメモリ
手段に蓄積した情報を後回しで記録するために、その分のディスク上の記録スペースを予
めあけた位置にドライブヘッド部をシークし、先に、後続の撮像信号をディスクドライブ
の記録手段に入力し、使用者が記録停止を指示した後に、上記メモリ手段に蓄積してある
撮像信号を先に予めあけておいたディスクスペースに記録する。
【０００８】
以上の方法が、電源投入後、ディスクドライブが所定の回転に至までの間の記録不可能
状態の回避方法として開示されている。
【０００９】
【特許文献１】特開平１０−９３９１８号公報
【発明の開示】
【発明が解決しようとする課題】
【００１０】
上記従来の技術では、以下の点については、特段考慮されていなかった。
まず、記録不可能期間中、撮像信号をメモリ手段へ蓄積し、その後ドライブのディスク
回転動作が定常回転に達した段階で、記録を開始し徐々にメモリ手段の蓄積量が減少し、
蓄積量が０になった段階で、後続の撮像信号を直接ドライブの記録手段に入力するために
は切替手段を必要する。また、切替のタイミングを知るために、常に回転の状態を観測し
て、撮像信号をメモリ手段に入力すべきか、記録手段に直接入力すべきかを判定する複雑
さを有していた。
そこで、本発明の第１の目的は切替手段をなくし上記アルゴリズムを簡便にすることを
目的とする。
【００１１】
また、電源投入と同時に使用者が記録を開始するとは限らない。しかしながら、上記従
来の技術では、使用者が記録開始可能であることの明示方法やタイミングについては特に
開示されていない。本発明の第２の目的は、使用者が装置の電源投入後、ドライブ各部の
起動動作が完了していなくても記録可能であることを使用者に明示することを目的とする
。
【００１２】
また、光ディスクドライブの起動動作には、ディスク回転の起動動作以外に、少なくと
も以下の処理要件が必要である。即ち、
（１）媒体へ照射するレーザを発光させるレーザダイオードと、このレーザダイオード
の出力を記録すべき信号に応動した出力もしくは所定の出力に制御するレーザ発光制御回
路。
（２）レーザを所定の出力で発光させた場合に、ディスク媒体上のピットや記録マーク
に応動していられる反射光を電気信号に変換する光電変換回路。
（３）レーザ光を集光する対物レンズと、この対物レンズを光軸と同方向に可動して記
録媒体面に合焦（フォーカス）させると共に、媒体の半径方向に可動して媒体上のトラッ
クに集光スポットをトレース（トラッキング）させるアクチュエータ機構とその制御回路
。
（４）ディスク媒体を回転させるためのスピンドルモータとその制御回路。および、ト
ラッキングアクチュエータ機構だけでは全てのトラックにアクセスすることができないた
め、少なくとも対物レンズとアクチュエータ機構をマウントした台座を可動させるスライ
ダ機構とその制御回路。
以上の制御回路を順次動作させていく必要がある。
【００１３】
つまり、光ディスクに信号を記録したりあるいは光ディスクから信号を再生するために
は、まず、上記（３）、（４）の機構を制御して、レーザ光をディスク媒体上のトラック
への合焦とトラッキングを行った後、上記（１）、（２）あるいは再び（３）の回路を適
正に制御して、初めて記録再生が実行できる状態となる。
【００１４】
しかし、光ディスクドライブは、ディスクのばらつき、装置のばらつきによる影響を受
けやすく、上記適正な制御を実現することがそれほど容易なことではない。そこで、上記
制御回路群（主としてアクチュエータ制御回路とレーザ発光制御回路）に設定すべき適正
な制御値をその都度見いだす学習制御が多数考案されている。
【００１５】
この中で、特に、レーザ発光制御系の学習制御としては、記録発光パワーの学習、およ
び、記録パワーの発光タイミング（時間軸位相の調整。以下単に、記録位相と記載する）
の学習等、比較的時間のかかる制御が多い。
【００１６】
また、上記同一の機構および制御回路系で他種類のディスク媒体に対応する場合、ディ
スクからの反射光によって生成されるフォーカス制御およびトラッキング制御のため誤差
信号、あるいは、ディスク回転制御のために予めディスクトラックに刻まれているディス
ク回転速度に比例する信号等、各種制御帰還信号の振幅等や、情報再生信号の振幅等、各
種の物理量から媒体を判別する。この物理的な媒体判別処理にも比較的時間が必要である
。
【００１７】
その上で、確実に媒体を判別するためには、媒体上に予め記録されている媒体情報を読
み出して、それぞれの媒体種別毎の物理的なファーマット情報などを読み出す必要がある
。
【００１８】
更に、書き換え可能ディスクであれば欠陥の管理情報、また、追記型のディスクであれ
ば追記可能位置に関する情報等、媒体の管理情報を読み出す必要がある。これらの情報の
読み出し処理も比較的時間を必要とする。特に、追記型ディスクでは読み出した媒体管理
情報に記録されている最終記録位置と、実際の追記可能位置との整合性を確認するために
実際に最終記録位置がどこにあるかの探索処理等を必要とするため非常に長い時間を必要
とする。
【００１９】
かかる仕儀により、ディスク媒体による記録装置では、電源投入後、ディスク回転の起
動動作以外にも、記録可能な状態に至までにかなりの時間を必要とする項目が多数存在す
る。
【００２０】
即ち、上記従来の技術では、上記各要件による記録不可能時間の回避に関しては特に開
示されていなかった。そこで、本発明の第３の目的は、電源投入後のディスク回転起動以
外の記録不可能時間の回避を目的とする。
【課題を解決するための手段】
【００２１】
上記課題を解決するために、本発明では以下の手段を講じた。
まず、第１の目的を達するために、記録不可能な状態から記録可能な状態への切替条件
を観測する代わりに、メモリ手段への蓄積量が所定量を越えた段階で、メモリ手段に蓄え
られた情報をドライブの記録手段へ入力開始する構成とした。
また、第２の目的を達するために、使用者が記録開始可能であることを認識するための
表示手段を具備した。
また、第３の目的を達するために、まず、ディスクの挿抜監視手段を具備し、ディスク
が交換されていないことが明確である場合は、上記課題において時間のかかる処理として
記載した媒体種別の判別処理、追記型ディスクにおける媒体管理情報や使用者情報の最終
記録位置探索処理、あるいは、記録パワーや記録位相の学習処理、と言った処理の一部も
しくは全部を削除できる。この結果、電源投入後にドライブの記録手段が記録不可能であ
る時間を大幅に短縮できる。
【００２２】
そこで、ディスクが挿入されて、１回目の電源投入であれば、上記各処理要件を全て実
施する第１の処理手順で実行するため記録手段が記録可能状態に至るのを待って使用者に
記録開始許可を明示し、２回目以降の電源投入であれば、上記処理要件中の処理時間の長
い処理を削除した第２の処理手順で起動処理することにより記録開始可能状態に至る前か
ら使用者に記録開始許可を行う構成とした。
【発明の効果】
【００２３】
本発明によれば、ディスク回転の起動動作等、比較的処理時間が固定的な記録不可能状
態の回避を簡単なアルゴリズム構成で実現できる効果がある。
【００２４】
また、電源投入後、時間のかかる処理に関しては、ディスク挿入１回目の起動処理を除
き、２回目以降の電源投入後の起動処理においては、長時間に渡る記録不可能時間を回避
することができる。
【００２５】
また、使用者への記録開始許可の明示により、どのようなタイミングから使用者が記録
開始可能であるかも容易に知ることが出来る。
【発明を実施するための最良の形態】
【００２６】
以下本発明による実施の形態を図１から４を使用して説明する。本実施の形態は光ディ
スクに対し撮像部で撮像された映像信号を記録するビデオカメラの例である。はじめに、
図１により、各部の動作と構成を説明する。
【００２７】
まずディスクの挿抜手段の実現についてについて説明する。
１は光ディスク３を格納する筐体の蓋である。２は蓋１の開閉を検知するスイッチであ
りシステムコントローラ２２に接続されている。システムコントローラ２２はシリーズレ
ギュレータ回路３３およびスイッチ３２を通じてメインバッテリ３１もしくはバックアッ
プバッテリ３０により駆動されるマイクロプロセッサであり、これにより蓋スイッチ２は
メインバッテリ３１からの通電がメイン電源スイッチ３１によって遮断された状態であっ
ても、蓋１の開閉を検知し、これにより、ディスクが挿抜された可能性の有無を認識する
。
【００２８】
次に、スピンドルモータの制御手段について説明する。
４はディスク３の回転を駆動するスピンドルモータである。スピンドルモータ４は自身
の回転速度比例信号を発生しスピンドルモータ制御回路５に与える。スピンドルモータ制
御回路５は回転速度比例信号の周期や位相を計測し、目標の周期とのズレから速度誤差信
号や位相誤差信号を生成してスピンドルモータに印加して回転速度の制御を行う。
【００２９】
また、光電変換回路１６により、反射光に含まれるディスク媒体のトラックに予め刻ま
れたディスク回転数に比例した周波数信号を検出しスピンドルモータ制御回路５に与える
。スピンドルモータ制御回路５はこのディスクフォーマット上の信号が所定の回転速度と
なるべき制御信号を生成してスピンドルモータ４に印加して回転速度の制御を行う。
【００３０】
次に、スライダモータ制御手段について説明する。
９は対物レンズ７、アクチュエータ機構８、レーザダイオード１４、光電変換回路１６
をマウントしたスライダ機構で、１０はスライダモータであり、マイクロステップモータ
などで構成する。１１はドライブコントローラ１２から設定値の供給を受けて、マイクロ
ステップモータ１０への２相矩形波あるいは正弦波の駆動信号を発生するスライダモータ
制御回路である。スライダをどの程度移動させるかはこの駆動波形の波数で制御される。
【００３１】
次に、アクチュエータ制御手段について説明する。
８は対物レンズを駆動するアクチュエータ機構であり、アクチュエータサーボ制御回路
１７からの制御信号により光軸方向およびディスク半径方向にそれぞれ可動する。アクチ
ュエータサーボ制御回路１７はディスクからの反射光を光電変換回路１６で電気信号に変
換した信号を基に、フォーカス、トラッキングのそれぞれの誤差信号を生成し、適当な制
御補償を行い制御信号を生成する。
【００３２】
次に、信号の記録再生手段について記載する。１４はレーザダイオードであり、発光さ
れたレーザ光は対物レンズ７に入光する。レーザダイオード１４はレーザドライバ１５に
よってその出力が制御される。レーザドライバは再生時は所定の値でレーザ出力を制御し
、記録時は変復調回路１８から与えられる変調信号に応動したレーザ出力となるべくレー
ザダイオード１４を制御する。この種の記録再生切替はドライバコントローラ１２によっ
て実行される。
【００３３】
一方、ディスク面から反射光は光電変換回路１６を経て変復調回路１８に入力され復調
処理が行われる。変復調回路の変調復調などのモード切替もドライブコントローラ１２に
よって行われる。
【００３４】
次に、図１に記載しているドライブの上位側の装置の動作を図２の説明を交えながら説
明する。
初めに、メイン電源スイッチ３１が遮断されている状態から説明を始める。メイン電源
スイッチ３１が遮断されている場合は電源切替スイッチ３２がバックアップバッテリ３０
側を選択している。この状態では、安定化電源回路３３を経て、システムコントローラ２
２による蓋スイッチ２と、電源投入指示スイッチ６の監視が動作している。
【００３５】
この状態から、使用者が電源投入スイッチ６を操作して電源投入を指令すると、システ
ムコントローラ２２は電源メインスイッチ３１を投入する。メイン電源スイッチ３１が投
入されると、電源切替スイッチ３２はメインバッテリ２９側に電源を切り替える。この切
替信号に基づいて、リセット信号発生回路４１がシステムコントローラ２２をバックアッ
プバッテリ用の低消費電力状態から通常動作モードに切り替える。図２ではシステムコン
トローラ（２２）からの指令においてPower Onにより電源ＳＷ（３１）が励起されている
タイミングが上記説明の局面に対応する。
【００３６】
この状態で、システムコントローラ２２は電源回路２６を起動し、電源回路２６は各部
への通電と（電源信号３６）とドライブコントローラ１２のリセット（リセット信号３５
）を行う。これに基づき、ドライブコントローラ１２はパケットインターフェース回路１
９を通じた上位部からの指令待ちとなる。
ここで、システムコントローラ２２はメイン電源スイッチ３１のオフ中に蓋スイッチ２
の開閉があった場合には、メモリコントローラ２１にその旨を通知する。
【００３７】
メモリコントローラ２１はそれを受けて、パケットインターフェース回路１９を介して
、ドライブコントローラ１２に第１の起動方法による起動を指示する（図２記載のＬｏａ
ｄ１）。
ドライブコントローラ１２はこれを受けて、ドライブ内部の電源スイッチ４０を操作し、
ドライブ各部の通電を開始して、起動処理を開始する(図２記載のＬｏａｄ処理部分)。
【００３８】
この起動動作の具体例を図４の（１）に示す。まず、アクチュエータ制御回路１７を操
作してアクチュエータ機構８によりレンズ７をディスクから遠ざけるレンズダウン処理（
ｓ１０１）を実行し、その後レーザドライバ１５を操作してレーザダイオード１４を所定
の発光パワーで発光させる（ｓ１０２）。これにより、ディスク板面上にいきなり合焦す
ることなくレーザを発光できる。
【００３９】
次に、ドライブコントローラ１２はアクチュエータ制御回路１７を操作し、レンズ７を
光軸方向に上下動させる。これにより、光電変換回路１６からは合焦点付近を通過する際
のディスク反射光が得られる。この反射光の振幅等に基づき、ディスクの第一段階の分類
を行う（ｓ１０３）。
【００４０】
次に、ドライブコントローラ１２はスピンドルモータ制御回路５を操作し、スピンドル
４の回転起動を行う（ｓ１０４）。この段階では、スピンドルモータ制御回路５はスピン
ドルモータ４自身が発生するモータ回転周波数の比例信号により制御を行う。
【００４１】
次に、ドライブコントローラ１２は再びアクチュエータ制御回路１７を操作し、アクチ
ュエータ機構８によりレンズ７を上下動させて、レーザ光をディスク板面上に合焦させる
（ｓ１０５）。
【００４２】
レーザ光がディスク板面上に合焦すると、ディスク自身や、スピンドルモータ４に内在
する偏芯により、レーザ光がディスク上に刻まれたトラックを横切るトラック横断信号が
観測できる。そこで、ドライブコントローラ１２は、光電変換回路１６からアクチュエー
タ制御回路１７に入力されるトラック横断信号の振幅等から更に第２の媒体種別分類を行
う。これにより、概ねの物理的な媒体種別の判別ができる（ｓ１０６）。
【００４３】
次に、ドライブコントローラ１２はアクチュエータ制御回路１７を操作し、上記トラッ
ク横断信号の何れかのトラックにレーザ光を追従させる（ｓ１０７）。
これにより、ディスクトラック上に記録されている情報を読み出す準備が整ったことに
なる。そこで、ドライブコントローラ１２はディスクのフォーマット規格毎に規定されて
いる特定トラックに予め記録されている媒体情報をリードする。この媒体情報リードによ
り、論理的に媒体の種別が確定する（ｓ１０８）。
【００４４】
次に、ドライブコントローラ１２は媒体の管理情報をリードする（ｓ１０９）。媒体の
管理情報とは、例えば、書換可能ディスクであれば、ディスク板面上のどこに欠陥があり
、この欠陥部の代わりにどこの予備記録位置を割り当てたかの情報等が記憶されている。
この欠陥管理情報は安全性確保のため、一般に多重化されディスク板面上の複数箇所に記
録されていて、その中のどの管理情報が最も信頼できるかを把握するため、ディスクが交
換された可能性がある場合には、その全てを読み出し、最も有効と考えられる情報を採用
する。
【００４５】
また、追記型ディスクにおける管理情報としては、ディスクをどこまで使用したか等の
情報を記録したものである。ドライブコントローラ１２は、上記追記型ディスクの場合、
この管理情報に記載されている最終記録位置と実際の最終記録位置との整合性の確認のた
め、管理情報に記録されている最終記録位置情報を基に、実際の最終記録位置の探索処理
を行う（ｓ１１０）。
【００４６】
以上が、第１の起動方法による起動動作である。図２では、便宜上、スピンドルモータ
４やアクチュエータ機構８を制御するセットアップ(図中Setup)、媒体の判別処理（図中J
udge）、媒体情報あるいは媒体管理情報あるいは追記位置探索のリード処理（図中Read）
と記載している。
【００４７】
再び、図１および図２による電源投入前に蓋空き履歴が認められた場合の説明に戻る。
システムコントローラ２２は、上記したドライブコントローラ１２の第一の起動方法に
よる起動動作の間、メモリコントローラ２１に指示して、使用者からの記録開始要求を受
け付けないように指示する。メモリコントローラ２１は使用者がその旨を知るために、撮
像信号に重畳（不図示 圧縮伸長回路２４に内在）して、ディスク認識動作中であること
を液晶モニタ２５に表示する。
【００４８】
ここで、ドライブコントローラ１２が先に説明した第１の起動方法による起動処理を完
了した旨をパケットインタフェース回路１９を介してメモりコントローラ２１に通知する
と、メモリコントローラ２１はその旨をシステムコントローラ２２に通知すると共に、先
のディスク認識動作中表示と同様の方法で、記録可能状態に至ったことを使用者に明示す
る（図に２おけるRec Pause表示）。
また、システムコントローラ２２はこの通知を受けて、使用者からの記録開始／停止要
求を受け付けるボタンスイッチ２７の監視を開始する。
【００４９】
メモリコントローラ２１は、システムコントローラ２２から使用者の記録開始の要求指
示がない場合、電力削減のために、ドライブコントローラ１２動作停止を要求する。ドラ
イブコントローラ１２はその要求を受けて、各部の動作を停止し、電源スイッチ４０を遮
断して、電力浪費を抑制する。
【００５０】
この状態で、使用者が釦スイッチ２７により記録開始の指令（図２Rec Start） を行う
と、システムコントローラ２２はそれを受けて、メモリコントローラ２１記録開始を指示
する。
【００５１】
メモリコントローラ２１は記録開始の指示をドライブコントローラ１２に指示（図２Wr
ite）すると共に、撮像回路２３の出力信号を圧縮伸長回路２４で符号化し、メモリ回路
２０へ蓄積開始する操作を行う。また、記録が開始したことを使用者に液晶モニタ２５に
よって表示する（図２Rec中表示）。
【００５２】
ドライブコントローラ１２は記録開始の指示を受けると、電源スイッチ４０を投入し、
停止していたスピンドルモータ、レーザ発光、アクチュエータの制御を再開する。既に、
媒体の判別や媒体管理情報等の取得、あるいは、追記型ディスクにおける追記位置の確認
は終了しているので、単純に、上記メカ制御系とレーザ発光の再起動だけを行うので比較
的短い時間で起動が完了する。
【００５３】
ただし、この媒体に対する記録パワー、記録位相の最適値の学習処理は未だ行われてい
ないため、メモリ２０への撮像信号の蓄積期間中に、記録パワー、記録位相の少なくとも
何れかあるいは両方の最適値学習処理を行う。
上記記録パワー、記録位相の学習処理は、上記記録パワーおよび記録位相を調整するパ
ラメータを逐次変えながら実際に記録を行い、その書込具合を評価することによる試し書
きによって実行される。
【００５４】
したがって、書換可能型ディスクの場合は、上記試し書きエリアが繰り返し使用できる
ため、記録パワー／位相学習処理を先に示した電源投入後の第１の起動処理にて行うこと
も可能である。
【００５５】
一方、追記型ディスクでは一度使用した試し書きエリアを繰り返し使用することができ
ないため、一枚のディスクで実行できる試し書き回数に制限がある。そこで、電源投入後
の起動処理では上記記録パワー／位相の学習処理は行わず、実際に記録要求があった場合
に学習処理を行うのが一般的である。
この学習処理が完了しても、メモリコントローラ２１は即座に記録を開始しない。メモ
リコントローラ２１はメモリ回路２０への撮像信号の蓄積量が第１の所定量を越えた段階
で記録を開始する。
【００５６】
記録が開始されると、徐々にメモリ回路２０の蓄積量が減少する。メモリコントローラ
２１はメモリ回路２０の蓄積残量が第２の所定値を下回った段階で、記録を停止する。ま
た、再び記録が開始されるまでの間、ドライブ部の消費電力抑制のため、ドライブコント
ローラ１２に対して停止要求を行う。ドライブコントローラ１２はこれを受けて各部の動
作を停止し、電源スイッチ４０を遮断して電力消費を抑える。
【００５７】
記録が停止すると再びメモリ回路２０の蓄積量が上昇する。メモリコントローラ２１は
メモリ回路２０の蓄積量が上記第１の蓄積量に至るやや手前で、ドライブコントローラ１
２の起動要求を行う。ドライブコントローラ１２はこれを受けて、再び、電源スイッチ４
０を投入しスピンドルモータ制御回路５，レーザドライバ１５、アクチュエータ制御回路
１７を動作させる。今度は、記録パワー／位相の学習も既に完了しているため、極僅かな
時間で記録可能な状態に移行する。
【００５８】
上記の間欠的な記録動作は、使用者が釦スイッチ２７を操作して記録停止を要求するま
で継続する。使用者が釦スイッチ２７を操作して、記録停止を指示（図２Rec Stop）する
と、システムコントローラ２２がこれを検知して、その旨をメモリコントローラ２１に通
知する。メモリコントローラ２１はこの通知を受けると、以降、撮像信号のメモリ回路２
０への入力を停止すると共に、液晶モニタの表示を記録開始許可状態に変更する。また、
メモリコントローラ２１はメモリ回路２０の残情報を全てドライブが記録するのを待って
、ドライブコントローラ１２へ停止要求を行う。ドライブコントローラ１２はこれを受け
て各部の動作を停止し、電源スイッチ４０を遮断して電力消費を抑制する。
【００５９】
この状態で、使用者が再び釦スイッチ２７を操作すると、再び、システムコントローラ
２２はメモリコントローラ２１に対して記録開始を要求（図２には特に記載せず）する。
メモリコントローラ２１はこれを受けて、メモリ回路２０への撮像信号の蓄積を開始し、
以降、上記の説明と同様の間欠的な記録動作を繰り返す。
【００６０】
一方、記録を停止している状態で、使用者が電源スイッチ６を操作し、装置全体の電源
遮断を要求（図２Power Off）した場合、システムコントローラ２２がこれを検知し、メ
モリコントローラ２１にその旨を通知する。メモリコントローラ２１は、電源遮断要求の
旨をドライブコントローラ１２に通知する。
【００６１】
これを受けてドライブコントローラ１２は、現在装填されているディスクの媒体種別や
、記録パワー／位相の学習値、追記型ディスクであれば媒体管理情報に記録した最終記録
位置情報と実際の最終記録位置の整合性、書換可能ディスクであれば多重記録されている
欠陥管理情報の有効性等を不揮発性のメモリ回路１３に記憶する。ドライブコントローラ
１２がこの情報退避の完了をメモリコントローラ２１に報告すると、メモリコントローラ
２１はこれをシステムコントローラ２２に報告し、これを受けてシステムコントローラ２
２は電源回路２６の動作を停止させ、ドライブ部および撮像ブロックの電源供給を停止す
る。この後、システムコントローラ２２は電源投入／遮断の指示スイッチ６と蓋スイッチ
２の監視プログラム動作だけを継続した状態で、メイン電源スイッチ３１を遮断し、自ら
もバックアップバッテリ３０による省電力動作に移行する。
【００６２】
以上、電源遮断時に蓋１が開閉しディスクが交換された可能性がある場合において、使
用者が装置全体の電源投入を指示した際の動作について説明してきた。次に、電源遮断中
に蓋１の開閉が一度も認められず、ディスクが交換されていないことが明白な場合の動作
について図１、図３および図４の（２）を使用して説明する。
【００６３】
まず、使用者が電源投入／遮断スイッチ６を操作して、電源投入の指示を行うと、シス
テムコントローラ２２がこれを検知する。ここで、システムコントローラ２２自身がバッ
クアップバッテリ３０の動作からメインバッテリ２９の動作に切り替わり、また、電源回
路２６を動作させて、ドライブブロックおよび撮像ブロックへの通電（電源ライン３６）
するまでの動作は図２の説明と同様である。
【００６４】
システムコントローラ２２は電源遮断期間中に蓋１の開閉がなかったことをメモリコン
トローラ２１に通知する。メモリコントローラ２１はこれを受けて、ドライブコントロー
ラ１２に第２の起動方法による起動動作を指示（図３Load2）する。
【００６５】
ドライブコントローラ１２は図４（２）に示す第２の起動動作でドライブの起動動作を
開始する。その内容は次の通りである。
まず、不揮発性のメモリ回路１３から、図２の動作で説明した現在装填されているディ
スクの媒体種別や、記録パワー／位相の学習値、追記型ディスクであれば最終記録位置の
情報、書換可能ディスクであれば多重記録されている欠陥管理情報の有効性等を読み出す
（ｓ２０１）。これらの情報が全て整っていて、記録を開始しても困らない場合（ｓ２０
２）、その旨をメモリコントローラ２１に報告する（ｓ２０３）。メモリコントローラ２
１はこれを受けて液晶モニタ２５に記録開始許可状態にあることを表示（図３Rec Pause
）する。
【００６６】
再び、図４（２）の説明に戻る。上記不揮発メモリ回路１３に記憶していた情報により
、媒体の種別は既に判明しているため、ドライブコントローラ１２はスピンドルモータ制
御回路５，レーザドライバ１５，アクチュエータ制御回路１７を順に操作し（ｓ２０４，
ｓ２０５，ｓ２０６、ｓ２０７、ｓ２０８）、媒体情報の読み出しが可能な状態に移行さ
せる。媒体情報の全てを不揮発メモリ回路１３に記憶していれば、媒体情報の読み出し処
理も行わなくて良いが、媒体情報にはそれなりの情報量があるため、本実施の形態では、
媒体情報の読み出しはそのまま残した（ｓ２０９）。
【００６７】
また、媒体管理情報の読み出し（ｓ２１０）は、書換可能型ディスクであれば、多重化
された欠陥管理情報の何れが有効であるかを不揮発メモリ回路１３に記憶していたので、
そのうちの一つを読み出すだけでよく短時間で終了できる。
【００６８】
また、追記型ディスクに関しては、媒体管理情報記録した最終記録位置に関する情報と
実際の最終記録位置との整合性を不揮発メモリ回路１３に記憶していたのでその探索処理
を行わなくて良く短時間で終了する。
【００６９】
以上のように、過去に一度、第１の起動方法で起動したことのあるディスクであれば起
動に要する時間を大幅に削減できる。したがって、液晶モニタ２５に記録開始許可状態に
あることを表示（図３Rec Pause）できる。即ち、ドライブコントローラ１２に対して第
２の起動方法を指示した場合、メモリコントローラ２１は不揮発メモリ回路１３に記憶さ
れた内容に不都合な条件がない限り（例えば第１の起動方法で起動した際に媒体の種別の
判別できないうちに使用者が電源遮断を要求した場合などを意味する）、ドライブコント
ローラ１２の起動完了報告を待つことなく使用者に記録開始許可を明示できる。
【００７０】
再び図３の説明に戻る。上記ドライブコントローラ１２が第２の起動方法でドライブを
起動処理している最中に、使用者が釦スイッチ２７により記録開始を指示した場合、シス
テムコントローラ２２はこれを検知し、メモリコントローラ２１に通知する。これを受け
てメモリコントローラ２１は撮像信号をメモリ回路２０に蓄積を開始する。上記のように
第２の起動方法は比較的短時間で終了するため、メモリ回路２０の情報の蓄積量が第１の
所定量を越えるまでには完了していて、メモリコントローラ２１はドライブコントローラ
１２の動作を気にすることなく、図２での説明と同様に、メモリ回路２０の蓄積量が第１
の所定量を上回った段階で、実際の記録動作を開始させればよい。
【００７１】
以降、メモリ残量が徐々に減少し間欠的記録動作の繰り返しに関しては図２の説明と同
様である。また、使用者が記録停止を指示し、その後、装置電源全体の遮断を要求してき
た場合の動作も図２の説明と同様である。
【００７２】
この後、装置全体の電源が遮断されている間のディスクの交換が無ければ、以降、電源
投入時の記録可能状態への遷移処理は上記第２の起動方法によってなされるため、使用者
は起動処理の完了を待つことなく記録開始の指示が可能である。
【図面の簡単な説明】
【００７３】
【図１】本発明における実施の形態の構成を説明するためのブロック図である。
【図２】本発明における実施の形態の動作を説明するための第１のタイミングチャートである。
【図３】本発明における実施の形態の動作を説明するための第２のタイミングチャートである。
【図４】本発明における実施の形態のドライブコントローラ１２のロード処理を説明するためのフローチャートである。
【符号の説明】
【００７４】
２…蓋開閉検出スイッチ、
３…ディスク、
４…スピンドルモータ、
５…スピンドルモータ制御回路、
６…電源投入遮断指示スイッチ、
７…対物レンズ、
８…アクチュエータ機構、
９…スライダ機構、
１０…スライダモータ、
１１…スライダモータ制御回路、
１２…ドライブコントローラ、
１３…ＥＥＰＲＯＭ回路、
１４…レーザダイオード、
１５…レーザドライバ、
１６…光電変換回路、
１７…アクチュエータ制御回路、
１８…変復調回路、
２０…記録再生バッファメモリ回路、
２１…メモリコントローラ、
２２…システムコントローラ、
２３…撮像回路、
２４…映像音声圧縮伸長回路、
２５…液晶表示回路、
２６…安定化電源回路、
２７…記録開始停止指示スイッチ、
２９…メインバッテリ、
３０…バックアップバッテリ。
【図１】
0004740223.tif 000002
【図２】
0004740223.tif 000003
【図３】
0004740223.tif 000004
【図４】
0004740223.tif 000005